(57)【特許請求の範囲】
【請求項１】
処理槽に収容された内視鏡の管路内および外表面を洗浄、消毒、または滅菌するステップIと、
前記内視鏡の前記管路内を気体で満たしながら、前記内視鏡の前記外表面をすすぎ液ですすぐステップIIと、
前記ステップIIにおけるすすぎ液から第１サンプルを採取するステップIIIと、
前記内視鏡の前記管路内をすすぎ液ですすぐステップIVと、
前記ステップIVにおけるすすぎ液から第２サンプルを採取するステップVと、
を含むことを特徴とする内視鏡再生処理方法。
【請求項２】
前記ステップII中は前記管路内に送気し続けることを特徴とする請求項１に記載の内視鏡再生処理方法。
【請求項３】
前記ステップIVは、前記内視鏡の外表面が空気中に露出した状態で行うことを特徴とする請求項１に記載の内視鏡再生処理方法。
【請求項４】
前記ステップII中における前記管路内の気体の流速は毎秒２ｍ未満であることを特徴とする請求項２に記載の内視鏡再生処理方法。
【請求項５】
内視鏡を収容し、液体を貯留可能な処理槽と、
前記処理槽に収容された前記内視鏡の管路内に流体を送出する流体送出部と、
前記処理槽内にすすぎ液を導入する液体導入部と、
前記処理槽内の液体からサンプルを採取するサンプル採取装置と、
制御部と、
を備える内視鏡リプロセッサであって、
前記制御部は、
前記処理槽内に収容された前記内視鏡の前記管路内および外表面を洗浄、消毒、または滅菌するステップIと、
前記流体送出部から気体を送出して前記内視鏡の前記管路内を気体で満たしながら、前記液体導入部によりすすぎ液を前記処理槽内に導入して前記内視鏡の前記外表面をすすぎ液ですすぐステップIIと、
前記サンプル採取装置により前記ステップIIにおけるすすぎ液から第１サンプルを採取するステップIIIと、
前記流体送出部からすすぎ液を送出して前記内視鏡の前記管路内をすすぎ液ですすぐステップIVと、
前記サンプル採取装置により前記ステップIVにおけるすすぎ液から第２サンプルを採取するステップVと、
を実行することを特徴とする内視鏡リプロセッサ。
【請求項６】
前記ステップII中は前記管路内に送気し続けることを特徴とする請求項５に記載の内視鏡リプロセッサ。
【請求項７】
前記ステップIVは、前記内視鏡の外表面が空気中に露出した状態で行うことを特徴とする請求項５に記載の内視鏡リプロセッサ。
【請求項８】
前記流体送出部から送出される気体の圧力または流量を調節する調節部を備え、
前記調節部により前記ステップII中における前記管路内の気体の流速を毎秒２ｍ未満とすることを特徴とする請求項６に記載の内視鏡リプロセッサ。
【発明の詳細な説明】
【技術分野】
【０００１】
本発明は、内視鏡に洗浄処理、消毒処理、および滅菌処理のうちの少なくとも１種を施す内視鏡再生処理方法および内視鏡リプロセッサに関する。
【背景技術】
【０００２】
医療分野において使用される内視鏡は、使用後に洗浄処理および消毒処理等の再生処理が施される。また、例えば日本国特開２０１２−６６０１８号公報に開示されているように、内視鏡に対して再生処理を自動的に行う内視鏡洗浄消毒装置が知られている。【０００３】
また、内視鏡に対し適切に再生処理が施されたか否かを評価するために、再生処理後の内視鏡に付着している菌の有無を検出する方法がある。例えば、日本国特開２０１２−６６０１８号公報に開示の内視鏡洗浄消毒装置には、再生処理後の内視鏡に付着している菌の有無を検出するために、内視鏡をすすぐ処理に用いられたすすぎ液を、菌を補足するフィルタに通す構成が設けられている。日本国特開２０１２−６６０１８号公報に開示の技術では、内視鏡洗浄消毒装置から取り外されたフィルタを培地として菌の培養を試み、菌の繁殖が見られなければ、内視鏡への再生処理が適切に行われたと判定する。【０００４】
日本国特開２０１２−６６０１８号公報に開示の技術では、菌を捕捉するフィルタに通すすすぎ液が、内視鏡の外表面および管路内の双方に接触して流れるため、すすぎ液から菌が検出された場合に、当該菌が外表面に付着していたものであるのか、または管路内に付着していたものであるのか、を判別することができない。【０００５】
本発明は、上述した課題を解決するものであって、内視鏡に対して適切に再生処理が施されたか否かの評価を、外表面と管路とで区別して行うことができる内視鏡再生処理方法および内視鏡リプロセッサを提供することを目的とする。
【発明の開示】
【課題を解決するための手段】
【０００６】
本発明の一態様による内視鏡再生処理方法は、処理槽に収容された内視鏡の管路内および外表面を洗浄、消毒、または滅菌するステップIと、前記内視鏡の前記管路内を気体で満たしながら、前記内視鏡の前記外表面をすすぎ液ですすぐステップIIと、前記ステップIIにおけるすすぎ液から第１サンプルを採取するステップIIIと、前記内視鏡の前記管路内をすすぎ液ですすぐステップIVと、前記ステップIVにおけるすすぎ液から第２サンプルを採取するステップVと、を含む。
【０００７】
また、本発明の一態様による内視鏡リプロセッサは、内視鏡を収容し、液体を貯留可能な処理槽と、前記処理槽に収容された前記内視鏡の管路内に流体を送出する流体送出部と、前記処理槽内にすすぎ液を導入する液体導入部と、前記処理槽内の液体からサンプルを採取するサンプル採取装置と、制御部と、を備える内視鏡リプロセッサであって、前記制御部は、前記処理槽内に収容された前記内視鏡の前記管路内および外表面を洗浄、消毒、または滅菌するステップIと、前記流体送出部から気体を送出して前記内視鏡の前記管路内を気体で満たしながら、前記液体導入部によりすすぎ液を前記処理槽内に導入して前記内視鏡の前記外表面をすすぎ液ですすぐステップIIと、前記サンプル採取装置により前記ステップIIにおけるすすぎ液から第１サンプルを採取するステップIIIと、前記流体送出部からすすぎ液を送出して前記内視鏡の前記管路内をすすぎ液ですすぐステップIVと、前記サンプル採取装置により前記ステップIVにおけるすすぎ液から第２サンプルを採取するステップVと、を実行する。
【図面の簡単な説明】
【０００８】
【図１】第１の実施形態の内視鏡リプロセッサの構成を示す図である。
【図２】第１の実施形態の内視鏡再生処理方法を示すフローチャートである。
【図３】第１の実施形態の内視鏡再生処理方法の変形例を示すフローチャートである。
【図４】第２の実施形態の内視鏡再生処理方法を示すフローチャートである。
【図５】第３の実施形態の内視鏡リプロセッサの構成を示す図である。
【図６】第４の実施形態の内視鏡リプロセッサの構成を示す図である。
【図７】接続具の構成を示す図である。
【図８】接続具の部分断面図である。
【発明を実施するための最良の形態】
【０００９】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。【００１０】
（第１の実施形態）  
以下に、本発明の実施形態の一例を説明する。図１に示す内視鏡リプロセッサ１は、内視鏡２００に対して、再生処理を施す装置である。ここでいう再生処理とは特に限定されるものではなく、水によるすすぎ処理、有機物等の汚れを落とす洗浄処理、所定の微生物を無効化する消毒処理、全ての微生物を排除もしくは死滅させる滅菌処理、またはこれらの組み合わせ、のいずれであってもよい。【００１１】
なお、以下の説明において、上方とは比較対象に対してより地面から遠ざかった位置のことを指し、下方とは比較対象に対してより地面に近づいた位置のことを指す。また、以下の説明における高低とは、重力方向に沿った高さ関係を示すものとする。【００１２】
内視鏡リプロセッサ１は、制御部５、電源部６、処理槽２およびサンプル採取装置６０を備える。【００１３】
制御部５は、演算装置（ＣＰＵ）、記憶装置（ＲＡＭ）、補助記憶装置、入出力装置および電力制御装置等を具備して構成することができ、使用者からの指示に従って所定のプログラムを実行し、内視鏡リプロセッサ１を構成する各部位の動作を制御する構成を有している。以下の説明における内視鏡リプロセッサ１に含まれる各構成の動作は、特に記載がない場合であっても制御部５によって制御される。【００１４】
操作部７および表示部８は、制御部５と使用者との間の情報の授受を行うユーザインターフェースを構成する。操作部７は、例えばプッシュスイッチやタッチセンサ等の、使用者からの動作指示を受け付ける操作部材を含む。使用者からの動作指示は、操作部７により電気信号に変換され、制御部５に入力される。使用者からの動作指示とは、例えば再生処理の開始指示等である。なお、操作部７は、制御部５との間で有線通信または無線通信を行う内視鏡リプロセッサ１の本体部１ａと分離した電子機器に備えられる形態であってもよい。【００１５】
また、表示部８は、例えば画像や文字を表示する表示装置、光を発する発光装置、音を発するスピーカ、振動を発するバイブレータ、またはこれらの組み合わせ、を含む。表示部８は、制御部５から使用者に対して情報を出力する。なお、表示部８は、制御部５との間で有線通信または無線通信を行う内視鏡リプロセッサ１の本体部１ａと分離した電子機器に備えられる形態であってもよい。【００１６】
電源部６は、内視鏡リプロセッサ１の各部位に電力を供給する。電源部６は、商用電源等の外部から得た電力を各部位に分配する。なお、電源部６は、発電装置やバッテリーを備えていてもよい。【００１７】
処理槽２は、開口部を有する凹形状であり、内部に液体を貯留することが可能である。処理槽２内には、内視鏡２００を配置することができる。処理槽２には、複数の内視鏡２００が配置可能であってもよい。【００１８】
処理槽２の上部には、処理槽２の開口部を開閉する蓋３が設けられている。処理槽２内において内視鏡２００に再生処理を施す場合には、処理槽２の開口部は蓋３によって閉じられる。【００１９】
処理槽２には洗浄液ノズル１５、薬液ノズル１２、排液口１１、循環口１３、循環ノズル１４、および内視鏡管路接続部１６が設けられている。【００２０】
洗浄液ノズル１５は、洗浄液管路５１を介して、洗浄液を貯留する洗浄液タンク５０に連通する開口部である。洗浄液は、洗浄処理に用いられる。洗浄液管路５１には、洗浄液ポンプ５２が設けられている。洗浄液ポンプ５２は制御部５に接続されており、洗浄液ポンプ５２の動作は制御部５によって制御される。洗浄液ポンプ５２を運転することにより、洗浄液タンク５０内の洗浄液が、処理槽２内に移送される。【００２１】
薬液ノズル１２は、薬液管路２６を介して薬液タンク２０に連通する開口部である。薬液タンク２０は、薬液を貯留する。薬液タンク２０が貯留する薬液の種類は特に限定されるものではないが、本実施形態では一例として、薬液は消毒処理に用いられる消毒液、または滅菌処理に用いられる滅菌液である。消毒液または滅菌液としては、過酢酸水溶液が挙げられる。【００２２】
薬液管路２６には、薬液ポンプ２７が設けられている。薬液ポンプ２７を運転することにより、薬液タンク２０内の薬液が、薬液管路２６および薬液ノズル１２を経由して、処理槽２内に移送される。【００２３】
また、本実施形態では一例として、薬液は、再生処理に用いられた後にも薬効を有している場合には、再使用可能である。よって、内視鏡リプロセッサ１は、処理槽２内の薬液を回収して薬液タンク２０内に戻す構成を備える。処理槽２内の薬液を回収して薬液タンク２０内に戻す構成については後述する。【００２４】
排液口１１は、処理槽２内の最も低い箇所に設けられた開口部である。排液口１１は、排出管路２１に接続されている。排出管路２１は、排液口１１と切替バルブ２２とを連通している。切替バルブ２２には、回収管路２３および廃棄管路２５が接続されている。切替バルブ２２は、排出管路２１を閉塞した状態、排出管路２１と回収管路２３とを連通した状態、または排出管路２１と廃棄管路２５とを連通した状態、に切り替え可能である。切替バルブ２２は制御部５に接続されており、切替バルブ２２の動作は制御部５によって制御される。【００２５】
回収管路２３は、薬液タンク２０と切替バルブ２２とを連通している。また、廃棄管路２５は内視鏡リプロセッサ１から排出される液体を受け入れるための排液設備と切替バルブ２２とを連通している。廃棄管路２５には、排出ポンプ２４が設けられている。排出ポンプ２４は制御部５に接続されており、排出ポンプ２４の動作は制御部５によって制御される。【００２６】
切替バルブ２２を閉状態とすれば、処理槽２内に液体を貯留することができる。また、処理槽２内に薬液が貯留されている時に、切替バルブ２２を排出管路２１と回収管路２３とが連通した状態とすれば、薬液が処理槽２から薬液タンク２０に移送される。【００２７】
また、切替バルブ２２を排出管路２１と廃棄管路２５とが連通した状態とし、排出ポンプ２４を運転することにより、処理槽２内の液体が廃棄管路２５を経由して排液設備に送出される。【００２８】
循環口１３は、処理槽２の底面付近に設けられた開口部である。循環口１３は、循環管路１３ａに連通している。循環管路１３ａは、内視鏡循環管路３０および処理槽循環管路４０の二つの管路に分岐している。なお、当該分岐部には制御部５によって制御される三方弁が配設されていてもよい。この場合、循環管路１３ａの分岐部に配置される三方弁は、循環管路１３ａと内視鏡循環管路３０とを連通した状態、または循環管路１３ａと処理槽循環管路４０を連通した状態、に切り替え可能である。【００２９】
内視鏡循環管路３０は、循環管路１３ａと後述するチャンネルブロック３２とを連通している。内視鏡循環管路３０には、流体送出ポンプ３３が設けられている。流体送出ポンプ３３は、稼働することにより内視鏡循環管路３０内の流体をチャンネルブロック３２に向かって移送する。【００３０】
チャンネルブロック３２には、前述の内視鏡循環管路３０の他に、吸気管路３４、アルコール管路３８および送出管路３１が接続されている。チャンネルブロック３２は、送出管路３１と、内視鏡循環管路３０、吸気管路３４およびアルコール管路３８とを接続している。チャンネルブロック３２は、内視鏡循環管路３０、吸気管路３４およびアルコール管路３８のそれぞれから、チャンネルブロック３２内へ向かう方向にのみ流体の流れを許容する逆止弁が設けられている。すなわち、チャンネルブロック３２内から、内視鏡循環管路３０、吸気管路３４およびアルコール管路３８に向かって流体が流れないようになっている。【００３１】
吸気管路３４は、一方の端部が大気に開放されており、他方の端部がチャンネルブロック３２に接続されている。なお、図示しないが、吸気管路３４の一方の端部には、通過する気体を濾過するフィルタが設けられている。エアコンプレッサ３５は、吸気管路３４に設けられており、稼働することにより吸気管路３４内の気体をチャンネルブロック３２に向かって移送する。【００３２】
アルコール管路３８は、アルコールを貯留するアルコールタンク３７とチャンネルブロック３２とを連通している。アルコールタンク３７内に貯留されるアルコールは、例えばエタノールが挙げられる。アルコール濃度については、適宜に選択することができる。アルコールポンプ３９は、アルコール管路３８に設けられており、稼働することによりアルコールタンク３７内のアルコールをチャンネルブロック３２に向かって移送する。【００３３】
流体送出ポンプ３３、エアコンプレッサ３５およびアルコールポンプ３９は、制御部５に接続されており、これらの動作は制御部５によって制御される。処理槽２内に液体が貯留されている場合に、流体送出ポンプ３３の運転を開始すれば、処理槽２内の液体が、循環口１３、循環管路１３ａおよび内視鏡循環管路３０を経由して、送出管路３１に送り込まれる。また、エアコンプレッサ３５の運転を開始すれば、空気が送出管路３１に送り込まれる。また、アルコールポンプ３９の運転を開始すれば、アルコールタンク３７内のアルコールが送出管路３１に送り込まれる。【００３４】
送出管路３１は、内視鏡管路接続部１６に接続されている。内視鏡管路接続部１６は、内視鏡接続チューブ１００を介して内視鏡２００に設けられた口金２０２に接続される。チャンネルブロック３２から送出管路３１に送出された流体は、内視鏡管路接続部１６を介して、内視鏡２００の口金２０２に連通する管路２０１内に導入される。なお、内視鏡管路接続部１６は、内視鏡接続チューブ１００を介さずに直接に口金２０２に接続される構成であってもよい。【００３５】
循環管路１３ａ、内視鏡循環管路３０、送出管路３１、チャンネルブロック３２、流体送出ポンプ３３、吸気管路３４およびエアコンプレッサ３５は、内視鏡２００の管路２０１内に流体を送出する流体送出部７０を構成する。【００３６】
処理槽循環管路４０は、循環管路１３ａと循環ノズル１４とを連通している。循環ノズル１４は、処理槽２内に設けられた開口部である。処理槽循環管路４０には、流液ポンプ４１が設けられている。流液ポンプ４１は制御部５に接続されており、流液ポンプ４１の動作は制御部５によって制御される。【００３７】
また、処理槽循環管路４０の流液ポンプ４１と循環ノズル１４との間には、三方弁４２が設けられている。三方弁４２には、給水管路４３が接続されている。三方弁４２は、循環ノズル１４と処理槽循環管路４０とを連通した状態、または循環ノズル１４と給水管路４３とを連通した状態、に切り替え可能である。【００３８】
給水管路４３は、三方弁４２と水供給源接続部４６とを連通している。給水管路４３には、給水管路４３を開閉する水導入バルブ４５および水を濾過する水フィルタ４４が設けられている。水フィルタ４４によってろ過された水は、滅菌された状態となる。供給源接続部４６は、例えばホース等を介して、水を送出する水道設備等の水供給源４９に接続される。【００３９】
三方弁４２および水導入バルブ４５は、制御部５に接続されており、これらの動作は制御部５によって制御される。【００４０】
処理槽２内に液体が貯留されている場合に、三方弁４２を循環ノズル１４と処理槽循環管路４０とを連通した状態として、流液ポンプ４１の運転を開始すれば、処理槽２内の液体が、循環口１３、循環管路１３ａおよび処理槽循環管路４０を経由して、循環ノズル１４から吐出される。【００４１】
また、三方弁４２を、循環ノズル１４と給水管路４３とを連通した状態として、水導入バルブ４５を開状態とすれば、水供給源４９から供給された水が循環ノズル１４から吐出される。循環ノズル１４から吐出された水は、処理槽２内に導入され、処理槽２内に配置された内視鏡等をすすぐためのすすぎ液等として用いられる。水供給源接続部４６、給水管路４３、水導入バルブ４５、循環ノズル１４および三方弁４２は、処理槽２内にすすぎ液を導入する液体導入部を構成する。【００４２】
また、本実施形態の内視鏡リプロセッサ１は、処理槽２内の液体からサンプルを採取するサンプル採取装置６０を備えている。サンプル採取装置６０は、本実施形態では一例として循環管路１３ａに設けられている。【００４３】
サンプル採取装置６０は、第１フィルタ６１、第２フィルタ６２および通常管路６３を備えている。サンプル採取装置６０は、循環管路１３ａを流れる流体の一部または全部を、第１フィルタ６１、第２フィルタ６２および通常管路６３のいずれか１つに選択的に通過させる。第１フィルタ６１および第２フィルタ６２は、通過する流体を濾過する。通常管路６３は単純な管路である。サンプル採取装置６０は、制御部５に接続されており、サンプル採取装置６０の動作は制御部５によって制御される。【００４４】
サンプル採取装置６０が、循環管路１３ａを流れる流体を第１フィルタ６１または第２フィルタ６２を通過させる状態である場合には、第１フィルタ６１または第２フィルタ６２によって循環管路１３ａを流れる流体からのサンプルの採取が行われる。一方、サンプル採取装置６０が、循環管路１３ａを流れる流体を通常管路６３を通過させる状態である場合には、循環管路１３ａを流れる流体からのサンプルの採取は行われない。【００４５】
本実施形態の内視鏡リプロセッサ１では、処理槽２内に液体が貯留されている場合において、サンプル採取装置６０を流体が第１フィルタ６１または第２フィルタ６２を通過する状態に切り替えた後に、流体送出ポンプ３３または流液ポンプ４１の運転を開始すれば、第１フィルタ６１または第２フィルタ６２によって処理槽２内の液体からサンプルを採取することができる。【００４６】
次に、以上の構成を有する内視鏡リプロセッサ１において、制御部５により実行される内視鏡再生処理方法について説明する。【００４７】
内視鏡再生処理方法は、処理槽２に収容された内視鏡２００の管路２０１内および外表面を洗浄、消毒、または滅菌するステップIと、前記管路２０１内を気体で満たしながら、前記外表面をすすぎ液ですすぐステップIIと、前記ステップIIにおけるすすぎ液から第１サンプルを採取するステップIIIと、を含む。また、内視鏡再生処理方法は、さらに、前記管路２０１内をすすぎ液ですすぐステップIVと、前記ステップIVにおけるすすぎ液から第２サンプルを採取するステップVと、を含んでいてもよい。【００４８】
図２は、内視鏡再生処理方法のフローチャートである。内視鏡再生処理動作の開始時においては、内視鏡２００が処理槽２内に配置されており、内視鏡２００の管路２０１が内視鏡管路接続部１６に接続されているものとする。【００４９】
内視鏡再生処理方法では、まずステップＳ１１０において、制御部５は、サンプル採取装置６０を、流体が通常管路６３を流れる状態に切り替える。ステップＳ１１０の実行により、循環管路１３ａを流れる流体の一部または全部は、通常管路６３内を流れるようになる。【００５０】
次に、ステップＳ１２０において、制御部５は、処理槽２に収容されている内視鏡２００の管路２０１内および外表面に対する洗浄処理、消毒処理、または滅菌処理を実行する。すなわち、ステップＳ１２０は、ステップIに相当する。また、制御部５は、ステップＳ１２０の完了時点において、処理槽２内から液体を排出する。【００５１】
内視鏡リプロセッサ１による洗浄処理、消毒処理、または滅菌処理における制御部５による制御は公知であるため、詳細な説明は省略する。【００５２】
概略的には、例えば、洗浄処理を実行する場合には、制御部５は、洗浄槽２内から液体を排出した後に、切替バルブ２２を閉状態とし、所定量の洗浄液と水を処理槽２内に導入する。その後、制御部５は、流体送出ポンプ３３および流液ポンプ４１の運転を交互に実行する。この制御により、洗浄液が内視鏡の管路２０１内および外表面に沿って流動し、管路２０１内および外表面に対する洗浄処理が行われる。【００５３】
また、例えば、消毒処理または滅菌処理を実行する場合には、洗浄槽２内から液体を排出した後に、切替バルブ２２を閉状態とし、所定量の薬液を処理槽２内に導入する。その後、制御部５は、流体送出ポンプ３３および流液ポンプ４１の運転を交互に実行する。この制御により、薬液が内視鏡の管路２０１内および外表面に沿って流動し、管路２０１内および外表面に対する消毒処理または滅菌処理が行われる。【００５４】
ステップＳ１２０の実行に用いられる液体は、サンプル採取装置６０の通常管路６３を通過する。【００５５】
次に、ステップＳ１３０において、制御部５は、サンプル採取装置６０を、流体が第１フィルタ６１を流れる状態に切り替える。ステップＳ１３０の実行により、循環管路１３ａを流れる流体の一部または全部は、第１フィルタ６１を通過するようになる。【００５６】
次に、ステップＳ１４０において、制御部５は、エアコンプレッサ３５の運転を開始し、内視鏡２００の管路２０１内への気体の送出を開始する。ステップＳ１４０の実行により、内視鏡２００の管路２０１内は気体で満たされる。本実施形態では、管路２０１内に送出される気体は空気である。【００５７】
次に、ステップＳ１５０において、制御部５は、内視鏡２００の外表面をすすぎ液ですすぐ。具体的には、ステップＳ１５０では、まず制御部５は、切替バルブ２２を閉状態とした後に、三方弁４２を循環ノズル１４と給水管路４３とを連通した状態として、水導入バルブ４５を制御することにより、処理槽２内の所定の第１水位Ｌ１まですすぎ液を導入する。本実施形態では、すすぎ液は水供給源４９から供給される水である。また、第１水位Ｌ１とは、処理槽２内に収容された内視鏡２００の全体がすすぎ液に浸漬する高さである。【００５８】
なお、本実施形態では、一例としてすすぎ液は水であるが、すすぎ液は剥離液を用いてもよい。剥離液としては界面活性剤が好ましく、より好ましくは発泡性の低い界面活性剤である。発泡性の低い界面活性剤として例えば、オクチルフェノールエトキシレート等が挙げられる。オクチルフェノールエトキシレートとしては、例えば市販のＴＲＩＴＯＮ（登録商標）、ＮＯＮＩＤＥＴ（登録商標）、Ｎｉｋｋｏｌ  ＯＰ（登録商標）、Ｉｇｅｐａｌ  ＣＡ（登録商標）等を用いてもよい。また、タンパク質の剥離を促す剥離液としては、ドデシル硫酸ナトリウム水溶液（ＳＤＳ水溶液）等が好ましい。【００５９】
図示していないが、すすぎ液として剥離液を用いる場合、内視鏡リプロセッサ１は剥離液を貯留する剥離液タンクおよび剥離液タンクから剥離液を処理槽２に供給するポンプとを備えることが好ましい。【００６０】
次に制御部５は、三方弁４２を循環ノズル１４と処理槽循環管路４０とを連通した状態として、流液ポンプ４１の運転を所定の時間行う。これにより、処理槽２内に貯留されているすすぎ液が、循環口１３、循環管路１３ａ、処理槽循環管路４０および循環ノズル１４を経由して処理槽２内に戻るように流動する。【００６１】
このステップＳ１５０におけるすすぎ液の流動により、内視鏡２００の外表面がすすぎ液によりすすがれる。また、ステップＳ１５０では、内視鏡２００の管路２０１内への気体の送出が行われており、管路２０１内が空気で満たされているため、すすぎ液は管路２０１内には入り込まない。したがって、ステップＳ１５０では、管路２０１内のすすぎ液によるすすぎは行われず、内視鏡２００の外表面にのみすすぎ液によるすすぎが行われる。ステップＳ１５０は、内視鏡２００の管路２０１内を気体で満たしながら、内視鏡２００の外表面をすすぎ液ですすぐステップIIに相当する。【００６２】
また、ステップＳ１５０では、すすぎ液の一部または全部は、サンプル採取装置６０の第１フィルタ６１を通過する。すなわち、ステップＳ１５０では、内視鏡２００の外表面をすすぐすすぎ液が第１フィルタ６１によって濾過される。したがって、ステップＳ１５０の実行により、すすぎ液中からの第１フィルタ６１による第１サンプルの採取が行われる。ステップＳ１５０は、ステップIIにおけるすすぎ液から第１サンプルを回収するステップIIIに相当する。【００６３】
次に、ステップＳ１６０において、制御部５は、切替バルブ２２を排出管路２１と廃棄管路２５とが連通した状態として、排出ポンプ２４を運転することにより、処理槽２内のすすぎ液を排出する。ステップＳ１５０およびステップＳ１６０は、所定回数繰り返し行われてもよい。ステップＳ１５０およびステップＳ１６０を複数回行う場合には、すすぎ液に剥離液を用いる回と、すすぎ液として水のみを用いる回を含む形態であってもよい。【００６４】
次に、ステップＳ１７０において、制御部５は、エアコンプレッサ３５の運転を停止し、内視鏡２００の管路２０１内への気体の送出を停止する。【００６５】
次に、ステップＳ１８０において、制御部５は、サンプル採取装置６０を、流体が第２フィルタ６２を流れる状態に切り替える。ステップＳ１８０の実行により、循環管路１３ａを流れる流体の一部または全部は、第２フィルタ６２を通過するようになる。【００６６】
次に、ステップＳ１９０において、制御部５は、内視鏡２００の管路２０１内をすすぎ液ですすぐ。具体的には、ステップＳ１９０では、まず制御部５は、切替バルブ２２を閉状態とした後に、三方弁４２を循環ノズル１４と給水管路４３とを連通した状態として、水導入バルブ４５を制御することにより、処理槽２内の所定の第２水位Ｌ２まですすぎ液を導入する。本実施形態では、すすぎ液は水供給源４９から供給される水である。【００６７】
第２水位Ｌ２とは、処理槽２内に収容された内視鏡２００よりも低い高さである。すなわち、処理槽２内の第２水位Ｌ２まですすぎ液を貯留されている状態では、内視鏡２００の全体が空気中に露出する。【００６８】
次に制御部５は、流体送出ポンプ３３の運転を所定時間行う。これにより、処理槽２内に貯留されているすすぎ液が、循環口１３、循環管路１３ａ、内視鏡循環管路３０、送出管路３１および管路２０１を経由して処理槽２内に戻るように流動する。【００６９】
このステップＳ１９０におけるすすぎ液の流動により、内視鏡２００の管路２０１内がすすぎ液によりすすがれる。ステップＳ１９０では、内視鏡２００の外表面が空気中に露出していることから、外表面に接触しない。したがって、ステップＳ１９０では、内視鏡２００の外表面のすすぎ液によるすすぎは行われず、内視鏡２００の管路２０１内にのみすすぎ液によるすすぎが行われる。ステップＳ１９０は、内視鏡２００の管路２０１内をすすぎ液ですすぐステップIVに相当する。【００７０】
また、ステップＳ１９０では、すすぎ液の一部または全部は、サンプル採取装置６０の第２フィルタ６２を通過する。すなわち、ステップＳ１９０では、内視鏡２００の管路２０１内をすすぐすすぎ液が第２フィルタ６２によって濾過される。したがって、ステップＳ１９０の実行により、すすぎ液中からの第２フィルタ６２による第２サンプルの採取が行われる。ステップＳ１９０は、前記ステップIVにおけるすすぎ液から第２サンプルを回収するステップVに相当する。【００７１】
次に、ステップＳ２００において、制御部５は、切替バルブ２２を排出管路２１と廃棄管路２５とが連通した状態として、排出ポンプ２４を運転することにより、処理槽２内のすすぎ液を排出する。ステップＳ１９０およびステップＳ２００は、所定回数繰り返し行われてもよい。以上で、内視鏡リプロセッサ１において、制御部５により実行される内視鏡再生処理方法が終了する。【００７２】
以上に説明したように、本実施形態の内視鏡リプロセッサ１により実行される内視鏡再生処理方法では、管路２０１内を空気で満たした状態において内視鏡２００の外表面のみをすすいだすすぎ液を第１フィルタ６１に通し、さらに内視鏡２００の外表面を空気中に露出させた状態において管路２０１内のみをすすいだすすぎ液を第２フィルタ６２に通す。【００７３】
したがって、本実施形態の内視鏡再生処理方法では、第１フィルタ６１により採取された第１サンプルは、内視鏡２００の外表面に付着していたものであり、第２フィルタ６２により採取された第２サンプルは、内視鏡２００の管路２０１内に付着していたものであると、明確に区別することができる。【００７４】
したがって、本実施形態の内視鏡再生処理方法および内視鏡リプロセッサ１によれば、第１サンプルおよび第２サンプルからの菌やタンパク質等の検出を行うことにより、内視鏡２００に対して適切に再生処理が施されたか否かの評価を、外表面と管路２０１とで区別して行うことができる。【００７５】
なお、本実施形態では、ステップＳ１５０のすすぎ処理の実行中において、管路２０１内への気体の送出を継続して実行しているが、ステップＳ１５０の実行前に管路２０１内が空気により満たされていれば、ステップＳ１５０の実行中に気体の送出を継続しなくともよい。これは、実際の内視鏡２０１の管路２０１の開口は小さいため、ステップＳ１５０の実行中に気体の送出を継続しなくても、処理槽２内のすすぎ液が管路２０１内に入り込む量はごく僅かだからである。また、もしステップＳ１５０の実行中に管路２０１内にすすぎ液が入り込んだとしても、管路２０１内からすすぎ液を押し出す流体の流れが存在しないため、管路２０１内の液体が処理槽２内に出て行き第１フィルタ６１を通過することは無い。【００７６】
したがって、図３に本実施形態の変形例として示すように、ステップＳ１５０のすすぎ処理の実行中における管路２０１内への気体の送出を行わずに、ステップＳ１５０の実行前に管路２０１内に所定の時間気体を送出して管路２０１内を気体で満たすステップＳ１４１を実行する内視鏡再生処理方法であっても、前述の本実施形態と同様の効果が得られる。【００７７】
（第２の実施形態）  
以下に、本発明の第２の実施形態を説明する。以下では第１の実施形態との相違点のみを説明するものとし、第１の実施形態と同様の構成要素については同一の符号を付し、その説明を適宜に省略する。【００７８】
第１の実施形態では、第１サンプルの採取の後に第２サンプルの採取を行っているが、この順序は逆でもよい。本実施形態では、第２サンプルの採取の後に、第１サンプルの採取を行う。図４に本実施形態の内視鏡再生処理方法のフローチャートを示す。【００７９】
図４に示すように、本実施形態では、制御部５は、ステップＳ１８０からステップＳ２００の、内視鏡２００の外表面を空気中に露出させた状態において管路２０１内のみをすすいだすすぎ液を第２フィルタ６２に通す動作を実行した後に、ステップＳ１３０からステップＳ１７０の、管路２０１内を空気で満たした状態において内視鏡２００の外表面のみをすすいだすすぎ液を第１フィルタ６１に通す動作を実行する。【００８０】
本実施形態の内視鏡再生処理方法および内視鏡リプロセッサ１においても、第１フィルタ６１により採取された第１サンプルは、内視鏡２００の外表面に付着していたものであり、第２フィルタ６２により採取された第２サンプルは、内視鏡２００の管路２０１内に付着していたものであると、明確に区別することができる。【００８１】
したがって、本実施形態の内視鏡再生処理方法および内視鏡リプロセッサ１によれば、第１の実施形態と同様に、第１サンプルおよび第２サンプルからの菌やタンパク質等の検出を行うことにより、内視鏡２００に対して適切に再生処理が施されたか否かの評価を、外表面と管路２０１とで区別して行うことができる。【００８２】
なお、本実施形態においても、図３を参照して説明した第１の実施形態の変形例のように、ステップＳ１５０のすすぎ処理の実行中における管路２０１内への気体の送出を行わずに、ステップＳ１５０の実行前に管路２０１内に所定の時間気体を送出して管路２０１内を気体で満たすステップＳ１４１を実行してもよい。【００８３】
（第３の実施形態）  
以下に、本発明の第３の実施形態を説明する。以下では第１の実施形態との相違点のみを説明するものとし、第１の実施形態と同様の構成要素については同一の符号を付し、その説明を適宜に省略する。【００８４】
図５に、本実施形態の内視鏡リプロセッサ１の構成を示す。本実施形態の内視鏡リプロセッサ１は、サンプル採取装置６０が廃棄管路２５に配置される点が第１の実施形態と異なる。【００８５】
本実施形態のサンプル採取装置６０は、廃棄管路２５を流れる流体の一部または全部を、第１フィルタ６１、第２フィルタ６２および通常管路６３のいずれか１つに選択的に通過させる。【００８６】
本実施形態の内視鏡リプロセッサ１では、処理槽２内に液体が貯留されている場合において、サンプル採取装置６０を流体が第１フィルタ６１または第２フィルタ６２を通過する状態に切り替えた後に、切替バルブ２２を排出管路２１と廃棄管路２５とが連通した状態として、排出ポンプ２４を運転することにより、第１フィルタ６１または第２フィルタ６２によって処理槽２内の液体からサンプルを採取することができる。【００８７】
本実施形態において、制御部５により実行される内視鏡再生処理方法は、第１の実施形態と同様であるが、第１サンプルおよび第２サンプルの採取が行われる時期が第１の実施形態と異なる。【００８８】
すなわち、本実施形態では、管路２０１内を空気で満たした状態において内視鏡２００の外表面のみをすすいだすすぎ液を処理槽２内から排出するステップＳ１６０において、すすぎ液中からの第１フィルタ６１による第１サンプルの採取が行われる。また、本実施形態では、内視鏡２００の外表面を空気中に露出させた状態において管路２０１内のみをすすいだすすぎ液を処理槽２内から排出するステップＳ２００において、すすぎ液中からの第１フィルタ６１による第１サンプルの採取が行われる。【００８９】
本実施形態では、ステップＳ１６０が、ステップIIにおけるすすぎ液から第１サンプルを回収するステップIIIに相当し、ステップＳ２００がステップIVにおけるすすぎ液から第１サンプルを回収するステップVに相当する。【００９０】
本実施形態の内視鏡再生処理方法および内視鏡リプロセッサ１においても、第１フィルタ６１により採取された第１サンプルは、内視鏡２００の外表面に付着していたものであり、第２フィルタ６２により採取された第２サンプルは、内視鏡２００の管路２０１内に付着していたものであると、明確に区別することができる。【００９１】
したがって、本実施形態の内視鏡再生処理方法および内視鏡リプロセッサ１によれば、第１の実施形態と同様に、第１サンプルおよび第２サンプルからの菌やタンパク質等の検出を行うことにより、内視鏡２００に対して適切に再生処理が施されたか否かの評価を、外表面と管路２０１とで区別して行うことができる。【００９２】
なお、本実施形態においても、図３を参照して説明した第１の実施形態の変形例のように、ステップＳ１５０のすすぎ処理の実行中における管路２０１内への気体の送出を行わずに、ステップＳ１５０の実行前に管路２０１内に所定の時間気体を送出して管路２０１内を気体で満たすステップＳ１４１を実行してもよい。【００９３】
また、本実施形態においても、第２の実施形態のように、第２サンプルの採取の後に、第１サンプルの採取を実行してもよい。【００９４】
（第４の実施形態）  
以下に、本発明の第４の実施形態を説明する。以下では第１の実施形態との相違点のみを説明するものとし、第１の実施形態と同様の構成要素については同一の符号を付し、その説明を適宜に省略する。【００９５】
図６に、本実施形態の内視鏡リプロセッサ１の構成を示す。本実施形態の内視鏡リプロセッサ１は、流体送出部７０に調節部７１を備える点が第１の実施形態と異なる。【００９６】
調節部７１は、流体送出部７０から送出され、内視鏡２００の管路２０１内に送出される気体の圧力または流量を調節する。本実施形態では一例として、調節部７１は、吸気管路３４のチャンネルブロック３２とエアコンプレッサ３５との間の区間に設けられている。【００９７】
本実施形態では、調節部７１は、制御部５の制御に基づいて動作の有無の切り替えが可能なレギュレータである。エアコンプレッサ３５から送出される気体の圧力が第１圧力Ｐ１であるとした場合に、調節部７１は、動作において流体送出部７０から送出される気体の圧力を第１圧力Ｐ１よりも低い第２圧力Ｐ２にまで減ずる。調節部７１が動作していない場合には、流体送出部７０から送出される気体の圧力は第１圧力Ｐ１である。【００９８】
すなわち、流体送出部７０から気体を管路２０１内に送出する場合において、調節部７１の動作時には、調節部７１の非動作時に比して管路２０１内における気体の流速が低くなる。【００９９】
第１圧力Ｐ１は、管路２０１内の液体を処理槽２内に流し出すために必要な値となっているため、ステップＳ１４０において第１圧力Ｐ１で管路２０１内に気体を送出すると、管路２０１内に付着している菌を処理槽２内に流し出してしまう可能性が考えられる。そこで本実施形態では、ステップＳ１４０において管路２０１内を気体で満たす際に、管路２０１内に送出する気体の圧力を減じて管路２０１内における気体の流速を低下させることにより、管路２０１内に付着している菌を処理槽２内に流し出してしまう可能性を減ずることができる。【０１００】
なお、第２圧力Ｐ２の値は、可変であってもよい。第２圧力Ｐ２は、動作時において管路２０１内における気体の流速が毎秒２ｍ未満となることが好ましい。【０１０１】
本実施形態の内視鏡リプロセッサ１によれば、内視鏡２００に対して適切に再生処理が施されたか否かの評価を、外表面と管路２０１とでより確実に区別して行うことができる。【０１０２】
なお、本実施形態においても、図３を参照して説明した第１の実施形態の変形例のように、ステップＳ１５０のすすぎ処理の実行中における管路２０１内への気体の送出を行わずに、ステップＳ１５０の実行前に管路２０１内に所定の時間気体を送出して管路２０１内を気体で満たすステップＳ１４１を実行してもよい。【０１０３】
また、本実施形態においても、第２の実施形態のように、第２サンプルの採取の後に、第１サンプルの採取を実行してもよい。【０１０４】
また、本実施形態の内視鏡リプロセッサ１は、第３の実施形態のように、廃棄管路２５にサンプル採取装置６０を備えていてもよい。【０１０５】
図７に、接続具３００を示す。また、図８に、接続具３００の部分断面図を示す。接続具３００は、管状の医療機器３８０（図８に図示）の管路３８１内に流体を導入するための装置である。接続具３００は、医療機器３８０に対して再生処理を施すリプロセッサと共に用いられる。管状の医療機器３８０は、一例としてダイレータである。なお、管状の医療機器３８０は、管路３８１を有する内視鏡であってもよい。【０１０６】
接続具３００は、接続部３１０、チューブ３６０、ノズル３３０、流路３２０、カバー部３５０および把持部３４０を備える。図８は、ノズル３３０、カバー部３５０および把持部３４０の断面図である。【０１０７】
接続部３１０は、リプロセッサに設けられたコネクタと接続される部位である。接続部３１０には、チューブ３６０の基端３６０ａが結合されている。リプロセッサのコネクタは、再生処理の実行時に流体を吐出する。接続部３１０は、コネクタに接続されることにより、コネクタとチューブ３６０内とを連通する。【０１０８】
図８に示すように、チューブ３６０の先端３６０ｂは、ノズル３３０に結合されている。ノズル３３０は、円筒部３３１および細管部３３２を含む。円筒部３３１の基端３３１ａには、チューブ３６０の先端３６０ｂが結合されている。円筒部３３１の先端３３１ｂには、細管部３３２が設けられている。【０１０９】
細管部３３２は、円筒部３３１の先端３３１ｂから突出している。細管部３３２の外径は、円筒部３３１の外径よりも小さい。また、細管部３３２の外径は、医療機器３８０が備える管路３８１の内径よりも小さい。細管部３３２内は、チューブ３６０内と連通している。すなわち、接続具３００は、基端が接続部３１０に設けられ、先端が細管部３３２に設けられた流路３２０を備える。【０１１０】
流路３２０の基端は、接続部３１０がリプロセッサのコネクタに接続されることにより、コネクタと連通する。また、流路３２０の先端は、細管部３３２の先端３３２ａにおいて開口している。したがって、リプロセッサのコネクタから吐出された流体は、流路３２０内を経由して細管部３３２の先端３３２ａから吐出される。【０１１１】
円筒部３３１の先端３３１ｂには、フランジ部３３１ｃおよび１つまたは複数の突起３３１ｄが設けられている。フランジ部３３１ｃは、円筒部３３１の先端３３１ｂから径方向外側に向かって突出している。突起３３１ｄは、細管部３３２の周囲に配置されており、円筒部３３１の先端３３１ｂから細管部３３２と同一方向に突出している。細管部３３２は、突起３３１ｄよりも先端側に突出している。【０１１２】
カバー部３５０は、内筒部３５１および外筒部３５２を含む。内筒部３５１は、円筒部３３１が内側に挿通される貫通孔３５１ａを有する。貫通孔３５１ａの内径は、円筒部３３１の外径よりも大きい。すなわち、貫通孔３５１ａの内周面と円筒部３３１の外周面との間には隙間が存在する。また、貫通孔３５１ａの内径は、フランジ部３３１ｃの外径よりも小さい。したがって、フランジ部３３１ｃが内筒部３５１に突き当たることにより、カバー部３５０に対するノズル３３０の位置決めがなされる。【０１１３】
外筒部３５２は、内筒部３５１に固定された筒状の部位である。外筒部３５２は、基端３５２ａにおいて内筒部３５１に連結されている。外筒部３５２の先端３５２ｂは開口している。外筒部３５２は、細管部３３２の周囲を囲い、細管部３３２と略平行に配置されている。また、外筒部３５２の先端３５２ｂは、細管部３３２の先端３３２ａよりも突出している。【０１１４】
外筒部３５２を先端３５２ｂ側から見た場合、外筒部３５２の底面部に円筒部３３１の先端３３１ｂが露出する。すなわち、外筒部３５２の底面部に細管部３３２および突起３３１ｄが配置されている。【０１１５】
外筒部３５２の側面には、複数の貫通孔３５２ｃが形成されている。使用者は、外筒部３５２の外側から貫通孔３５２ｃを通して外筒部３５２の内側を見ることができる。また、一部の貫通孔３５２ｃの周縁部には、切り欠き３５２ｄが形成されている。【０１１６】
外筒部３５２には、一対の切り欠き３５２ｄが形成されている。一対の切り欠き３５２ｄは、外筒部３５３の中心軸を対称軸とした線対称の位置に配置されている。ノズル３３０（細管部３３２）がまっ直ぐであり正常な形状である場合に、細管部３３２の先端が一対の切り欠き３５２ｄの間に位置する。したがって、外筒部３５２を側面の外側から眺めた場合に、細管部３３２が真っ直ぐであれば、細管部３３２の先端を切り欠き３５２ｄを通して見ることができる。これにより、使用者は、切り欠き３５２ｄから細管部３３２の先端を覗けるか否かで、細管部３３２がまっ直ぐか、曲がってしまっているかを判断することができる。【０１１７】
図８に示すように、外筒部３５２の先端３５２ｂの開口から、医療機器３８０を外筒部３５２内に挿入することができる。外筒部３５２内に挿入された医療機器３８０の先端３８０ａは、ノズル３３０の円筒部３３１の先端３３１ｂと対向する。またこのとき、細管部３３２が、医療機器３８０の管路３８１内に挿入される。医療機器３８０の先端３８０ａが突起３３１ｄに突き当たることにより、医療機器３８０の細管部３３２に対する長軸方向の位置決めがなされる。また、医療機器３８０の先端３８０ａが突起３３１ｄに突き当たることにより、医療機器３８０の先端３８０ａと円筒部３３１の先端３３１ｂとの密着が防止され、両者間に隙間が生じる。【０１１８】
把持部３４０は、外筒部３５２内に挿入された医療機器３８０を側方から把持する。把持部３４０は、洗濯ばさみ状の構成を有する。把持部３４０は、一対の腕部３４１および一対のバネ３４２を含む。【０１１９】
一対の腕部３４１は、それぞれカバー部３５０に対して回動軸３４３周りに揺動可能である。一対の腕部３４１の先端３４１ａは、外筒部３５２の外側から貫通孔３５２ｃを経由して外筒部３５２の内側に延出している。一対の腕部３４１の先端３４１ａは、外筒部３５２の内側において、互いに対向する。一対の腕部３４１が回動軸３４３周りに揺動することにより、一対の腕部３４１のそれぞれの先端３４１ａの間の離間距離が変化する。回動軸３４３は、カバー部３５０の、外筒部３５２の基端３５２ａ近傍に配置されている。【０１２０】
一対のバネ３４２は、一対の腕部３４１を、それぞれの先端３４１ａが近づく方向に付勢する。バネ３４２は、圧縮コイルバネである。【０１２１】
内筒部３５１の外周面から径方向外側に突出する円柱状の突起３５１ｄが形成されている。突起３５１ｄの外径はバネ３４２の内径より小さい。また、腕部３４１の突起３５１ｄに対向する箇所には、有底の穴３４１ｄが形成されている。穴３４１ｄは、内側にバネ３４２を挿入することができる形状を有する。突起３５１ｄおよび穴３４１ｄは、腕部３４１の先端３４１ａから回動軸３４３よりも遠い箇所に配置されている。バネ３４２の一端の内側に突起３５１ｄを挿入し、バネ３４２の他端を穴３４１ｄ内に挿入することにより、バネ３４２が内筒部３５１と腕部３４１との間に保持される。【０１２２】
穴３４１ｄの底面には、腕部３４１を貫通する貫通孔３４１ｅが形成されている。貫通孔３４１ｅの内径は、バネ３４２の外径よりも小さい。再生処理の実行時には、流体が貫通孔３４１ｅを経由して流れるため、穴３４１ｄ内およびバネ３４２の周囲に流体の流れが発生する。【０１２３】
図８に示すように、一対の腕部３４１の先端３４１ａにより医療機器３８０を挟み込むことにより、医療機器３８０が外筒部３５２内に保持される。前述のように、この状態において、細管部３３２が、医療機器３８０の管路３８１内に挿入される。【０１２４】
一対の腕部３４１のそれぞれの先端３４１ａには、切り欠き３４１ｆが形成されている。切り欠き３４１ｆは、医療機器３８０の長軸に沿う方向に沿って彫られた溝である。切り欠き３４１ｆは、腕部３４１の厚さ方向の中央に設けられている。このため、把持部３４０は、医療機器３８０を、外筒部３５２内の中心に安定して保持することができる。【０１２５】
以上に説明したように、接続具３００は、流体を吐出する細管部３３２を医療機器３８０の管路３８１内に挿通した状態で、把持部３４０により医療機器３８０を把持する構造を有している。接続具３００は、細管部３３２を、管路３８１の内壁面に接触させずに管路３８１内に保持することができる。このため、接続具３００は、把持部３４０により医療機器３８０を把持しながら、管路３８１の内壁面の細管部３３２と対向する部分を、薬液等の流体に接触させることができる。【０１２６】
本発明は、前述した実施形態に限られるものではなく、請求の範囲および明細書全体から読み取れる発明の要旨或いは思想に反しない範囲で適宜変更可能であり、そのような変更を伴う内視鏡再生処理方法および内視鏡リプロセッサもまた本発明の技術的範囲に含まれるものである。【０１２７】
本出願は、２０１７年８月３０日に日本国に出願された特願２０１７−１６５９７７号を優先権主張の基礎として出願するものであり、上記の開示内容は、本願明細書、請求の範囲、図面に引用されたものとする。
【要約】
内視鏡再生処理方法は、処理槽に収容された内視鏡の管路内および外表面を洗浄、消毒、または滅菌するステップIと、前記内視鏡の前記管路内を気体で満たしながら、前記内視鏡の前記外表面をすすぎ液ですすぐステップIIと、前記ステップIIにおけるすすぎ液から第１サンプルを採取するステップIIIと、を含む。【図１】
0006495558.tif 000002
【図２】
0006495558.tif 000003
【図３】
0006495558.tif 000004
【図４】
0006495558.tif 000005
【図５】
0006495558.tif 000006
【図６】
0006495558.tif 000007
【図７】
0006495558.tif 000008
【図８】
0006495558.tif 000009